(57)【要約】【課題】長時間録画が可能になったお陰で、個人の録画から、家族皆の録画が増えてきた。しかし家族の生活の多様化から、一緒に同じ録画番組を見られる機会は減り、見た録画番組が消去できずに無駄にＨＤＤにたまってしまう問題が生じてきている。【解決手段】上記課題を解決する為に、本発明の録画システムは、録画番組リストにメンバーの名前を加えることで、誰がその番組を既に見たかを明らかにする方法に関するものである。その録画リスト１には、メンバー欄２と録画された番組欄３、消去可のチェック印４で構成され、すべてチェックされた録画番組から消去される。【選択図】図１
2005057637.tif 000002
【特許請求の範囲】
【請求項１】
録画システムにおいて、録画番組名又は録画時刻を記した欄と、前記欄と直交するようにメンバーの名前を列記した欄を記した録画リストを表示する機能と、前記リストに見た番組を各自が個人欄に消去チェックを入れる事が可能で、各自の判断で録画番組を消去できる機能を備えた録画システム。
【請求項２】
個人の嗜好情報から自動的に放送番組を録画する録画システムの集団利用において、番組名又は録画時刻を記した欄と、前記欄と直交するようにメンバーの名前を列記した欄を記した録画リストを表示する機能と、前記リストに個人の嗜好と判断された録画番組に事前に該当チェック印を設け、全該当者が該当チェックを消去したところで自動的に録画番組を消去する機能を備えた録画システム。
【請求項３】
個人の嗜好情報から自動的に放送番組を録画する録画システムの集団利用において、メンバー各人の録画管理領域と録画データ領域を分け、個人管理頁を設けて、前記個人管理頁に番組名又は録画時刻を記したリストを表示する機能と、録画番組の該当者が全て消去チェックしたところで自動的に録画番組を消去する機能を備えた録画システム。
【発明の詳細な説明】
【技術分野】
【０００１】
本発明は、放送番組の映像録画や録音のシステム及びその操作に関するものである。
【背景技術】
【０００２】
近年、記録技術の進歩により、１００時間、２００時間を越す映像信号の長時間録画が可能になった。そのお陰で、個人の録画から、各自の録画したい番組を、例えば１つのＨＤＤ（ハードディスクドライブ）に録画する家族も増えてきた。録画された番組はある個人だけのものもあれば、誰かと一緒の場合、家族皆の場合もある。
【０００３】
しかし家族の生活の多様化から、一緒に同じ録画番組を見られる機会は減り、見た録画番組が消去できずに無駄にＨＤＤにたまってしまう問題が生じてきている。又、誤って、録画番組を見た片方が、見ていないもう片方の了解を得ずに番組を消去してしまうトラブルも多々発生している。
【０００４】
こうした課題に対して、例えば特許文献１の技術では、録画を一定時間過ぎれば自動的に消去する方法が発明されている。図７は、課題に対して考案された特許文献１に基づく録画システムのシステム構成図である。時計２１１の時刻情報から自動消去部２１２が予約情報格納部に働きかけて消去を行う。
【特許文献１】特開２００２−１６５１６２号公報
【発明の開示】
【発明が解決しようとする課題】
【０００５】
しかしこのような録画システムでは、決められた期間内に録画した番組を見なければシステムが自動的に消去してしまうため、録画者が見ていないうちに録画番組が消されてしまうことや、録画番組の保存優先度が録画時刻とは異なるために、誤って消去してしまうことがある。
【課題を解決するための手段】
【０００６】
上記課題を解決する為に、本発明の録画システムは、録画番組リストにメンバーの名前を加えることで、誰がその番組を既に見たかを明らかにし、上記の課題をかいしょうするものである。
【発明の効果】
【０００７】
本発明の録画システムは上記システムを有することで、録画番組を家族、或いはメンバーと共有しながら、消去可の録画番組を無駄に貯めず、必要な録画のみを保持することができる。  
【発明を実施するための最良の形態】
【０００８】
以下、本発明の実施の形態を、図面を参照しながら説明する。
【０００９】
（実施の形態１）
図１は本発明の録画システムでテレビ画面に表示された操作画面の第１の一例である。１は録画リスト、２はメンバー欄、３は録画された番組欄、４は消去可のチェック印である。このシステムでは、メンバー各自が、該当する録画番組で消去しても良い番組に対して、了解印を入れ、該当者の誰がまだ見ていないかを、次のメンバーが録画番組の消去する為の判断ができるシステムになっている。他の該当者全てが既に消去ＯＫと表示している場合は、録画番組を消去してよいので、躊躇無く消去することができる。
【００１０】
図２は、図１の録画システムを実現するためのシステム構成の一例図である。１１は録画情報管理部、１２は録画データ格納部、１３はメンバー登録部である。ユーザーのメンバーリストはメンバー登録部１３に格納されている。どのユーザーが番組を見たかの情報はメンバー登録部１３からの情報を使って録画情報管理部１１から表示される。別のユーザーはこの情報を元にして、不要録画番組の消去を行うが、この命令は録画情報管理部１１に送られ、登録録画リストと共に、録画データ格納部１２にあるデータも同時に消去される。
【００１１】
（実施の形態２）
図３は、（実施の形態１）とは異なる本発明の録画システムでＴＶ画面に表示された操作画面図で、第２の一例である。１は録画リスト、２は録画実行したメンバー欄、３は録画された番組欄である。この表示システムでは、録画時に誰が実行したかを録画のシーケンスの中で登録するシステムになっている。そして、録画した実行者が基本的に消去する義務を持つ。メンバー各自は誰が録画して、それを貯め続けているか分かるので、お互いに注意が働くシステムになる。
【００１２】
（実施の形態３）
図４は、（実施の形態１）、（実施の形態２）とは異なる本発明の録画システムで、ＴＶ画面に表示された操作画面図で、第３の実施の形態の一例である。また図４は、個人の嗜好情報から自動的に放送番組を録画する録画システム上で新たに追加される表示機能を示している。１は録画リスト、２はメンバー欄、３は録画された番組欄、５は録画希望の該当状況を示す。その中で○は該当者を、Ｘは非該当者を、済は該当者で消去ＯＫを示した者を示す。図４では、メンバーの中のＡ夫が２つの番組を見終わり、消去ＯＫの印を録画システムに送ったところ、システムは該当者が零になった事を感知して、自動消去する過程を示している。
【００１３】
（実施の形態４）
図５は、（実施の形態１）、（実施の形態２）、（実施の形態３）とは異なる本発明の録画システムで、ＴＶ画面に表示された操作画面図で、第４の実施の形態の一例である。図５は、個人の嗜好情報から自動的に放送番組を録画する録画システム上で新たに追加される表示機能を示している。１は録画リスト、２は該当メンバー、３は録画された番組欄を示す。
【００１４】
図５では、メンバーの中のＡ夫が２つの番組を見終わり、消去ＯＫのサインを録画システムに送ったところ、システムは該当者が零になった事を感知して、自動消去する過程を示している。
【００１５】
（実施形態５）
図６は、（実施の形態１）、（実施の形態２）、（実施の形態３）（実施形態４）とは異なる本発明の録画システムで、ＴＶ画面に表示された録画リストで、第５の一例である。図６は、個人の嗜好情報から自動的に放送番組を録画する録画システム上で新たに追加される録画リスト機能を示している。１は録画リストである。このリストは頁毎に各人の個人管理情報を設けている。図１では、個人管理頁毎に番組名又は録画時刻を記したリストの中で、Ａ夫が該当番組を見終わり、番組を消去可したところで、自動的に録画システムが録画番組を消去する過程を示している。
【産業上の利用可能性】
【００１６】
このような本録画システムによって、家族の録画管理だけでなく小集団の録画管理にて、限られた録画容量に対して有効な録画を残すことができ、さまざまな記録装置においてこのシステムを活用することができる。例えば、家庭内のテレビジョン受信機に内蔵されている記録装置や、パーソナルコンピュータ、映像信号を受信できる携帯電話などに利用できる。
【００１７】
また、離れた場所から録画予約制御を可能とする機器からも利用が可能であり、例えば携帯電話からの家庭内の録画機能をもつ装置を制御する際に、本願発明のシステムを活用することができる。
【図面の簡単な説明】
【００１８】
【図１】本発明のシステムの一実施例である表示画面上の操作画面を示す図
【図２】本発明のシステムの構成を示す図
【図３】本発明のシステムの他の実施例である表示画面上の操作画面を示す図
【図４】本発明のシステムの他の実施例である表示画面上の操作画面を示す図
【図５】本発明のシステムの他の実施例である表示画面上の操作画面を示す図
【図６】本発明のシステムの一実施例である録画リストを示した図
【図７】従来の映像システム構成を示す図
【符号の説明】
【００１９】
１    録画リスト
２    メンバー欄
３    番組欄
４    チェック印
【図１】
2005057637.tif 000003
【図２】
2005057637.tif 000004
【図３】
2005057637.tif 000005
【図４】
2005057637.tif 000006
【図５】
2005057637.tif 000007
【図６】
2005057637.tif 000008
【図７】
2005057637.tif 000009